(57)【要約】【課題】  地震による震動又は建物の躯体の不等沈下・傾きによって発生する大きな振動荷重又は静荷重が建物の開口部の扉に負荷された扉枠体の上横枠下面と扉体の上面が接触する変形・変位があっても扉体の開閉を可能とする。【解決手段】  扉体３の外周一波長９ｍｍで１．５ｍｍの山谷の高低差がある突条を開閉方向に複数設けた波状面５ａをベース厚み１．５ｍｍの上に形成した塩化ビニル製の滑り板５をネジ５ａ３で脱着自在に取付けた。【選択図】図３
2019065602.tif 000002
【特許請求の範囲】
【請求項１】
建築物の通路となる建築躯体の開口部の開口縁に沿って左右の縦枠と上下の横枠とからなる扉体取付用枠体を取付け、同枠体の一つの右縦枠に扉体を丁番を用いて開閉自在に取付けた扉構造に於いて、扉体の外周端の上面に扉体の閉鎖位置に向う方向に厚みが繰り返し変動して波状面となった硬質の滑り板を止着し、前記上横枠と扉体の上面とが地震又は前記開口部に作用する荷重による変形・変位により接触しても扉体の開閉を前記滑り板の波状面によって容易にすることを特徴とする、扉取付構造。
【請求項２】
前記滑り板を扉体の上面にボルト又はネジ又は接着剤によって取外し可能に止着した、請求項１記載の扉取付構造。
【請求項３】
前記滑り板の厚みの変動の巾が１．３ｍｍ以上であり且つ開閉方向の波状面の一波長の長さが５ｍｍ以上とした、請求項１又は２記載の扉取付構造。
【請求項４】
前記丁番を取付けていない側の左縦枠の内側に、前記扉体が閉鎖した状態における前記左縦枠と扉体の外周端の左面との間の間隔の寸法を調整できるつけ枠を取付けた構造とし、更に前記左縦枠と前記つけ枠との間に生じた間隙に挿入されて前記左縦枠と前記つけ枠を押し拡げる付勢部材を有し且つその間隙を扉入口側から見えないように閉鎖する閉鎖部材を有する緩衝部品を前記間隙に間装し、前記左縦枠とつけ枠の破損を少なくするとともに防犯性を高めた、請求項１〜３いずれか記載の扉取付構造。
【請求項５】
縦枠に取付けた前記丁番として、前記扉体との閉鎖時において扉体を開口部の出入方向にその取付位置を調整可能とすることができる構造のものを使用した、請求項１〜４いずれか記載の扉取付構造。
【発明の詳細な説明】
【技術分野】
【０００１】
本発明は、コンクリート建造物又は鉄骨軽量コンクリート建造物，木造建造物で、玄関の出入口，物品・人の通路となる建造物の開口部に取付けられた外周の枠体とこれに丁番で取付けた扉体とからなる扉の取付構造であって、地震又は躯体からの大きな荷重・震動荷重によって外周の枠体と扉体とが変形・変位を生起した場合において、扉体の開閉を容易に出来るようにする技術に関し、又扉体と外周の枠体との間隔を少なくして雨水・空気の進入を少なくし、更に前記間隔にバール工具を差し込んで扉を破壊する不法行為を防いで防犯上にも有益な技術に関する。
【背景技術】
【０００２】
建築物の玄関口・通路の出入口の建築躯体の開口部に設けられる扉は、躯体の開口部の開口縁に沿って固着される左右の縦枠と上下の横枠とからなる外周の枠体と、一つの縦枠に丁番を介して取付ける扉体とから構成されている。
【０００３】
この扉構造が、地震による大きな震動を受けたり、又は躯体の不等沈下又は傾きによって開口部の形状及び枠体・扉体が変形・変位を受けると、扉体の開閉が困難となることが発生していた。
これを解消するために、寸法を変えた枠体・扉体に取り替える改修工事をすればよいが、扉の全面改修となるため工事費用が嵩み且つ工事日数が長くなるものである。工事日数が長いとその期間扉機能が失われ、防犯上問題があった。
【０００４】
枠体と扉体が重大な損傷・変形・変位を受けると上記全面改修の工事になるが、その変形・変位が中小程度である場合枠体・扉体・丁番の構造改良又は部分改修工事で変形・変位に対応できて、扉体の開閉の動作を可能にする技術を本出願人が開発した。
【０００５】
これら技術は、特許文献１で知られている。丁番を改良して扉体を開口部の出入方向に位置調整できるようにし、丁番の調整のみで扉体の開閉をある程度迅速に回復させるようにした。又、枠体側に本来の枠体の内側につけ枠を付加する構造に改修することで、又は扉設置の最初から枠体の内形の寸法を可変にできるようにしたりすることで寸法を短くした新しい扉体を取付けて扉機能を直ちに回復させる部分改修で対応させること、及び震動及び躯体側からの外部荷重によって枠体・扉体の左右方向の変形・変位を少なくする緩衝構造する技術又は変形・変位に対応容易な改修技術を開発した。
【先行技術文献】
【特許文献】
【０００６】
【特許文献１】実用新案登録第３２１１３８４号公報
【発明の概要】
【発明が解決しようとする課題】
【０００７】
本発明は、地震による震動又は建物の躯体の不等沈下・傾きによって発生する大きな振動荷重又は静荷重が扉体・枠体に作用して枠体又は扉体に変形・変位が発生して、上の横枠と扉体の外周端の上面とが接触するようになっても、扉体の開閉を確実に可能とする扉の取付構造を提供する。本発明の他の課題は、これに加え枠体・扉体の左右・前後方向の変形・変位があっても扉体の開閉を確保し易く、扉体を容易に開閉可能にすることができ、小規模の構造改修で迅速に扉体を開閉自在に取付けられるようにすることにある。
【０００８】
更に、枠体とつけ枠との間に緩衝力を生起するとともに、その入口側の間隔の空隙を閉鎖して美観を高め、更に雨水・風の進入を防ぎ、防犯上も優れたものにすることにある。
【課題を解決するための手段】
【０００９】
かかる課題を解決した本発明の構成は、
１）  建築物の通路となる建築躯体の開口部の開口縁に沿って左右の縦枠と上下の横枠とからなる扉体取付用枠体を取付け、同枠体の一つの右縦枠に扉体を丁番を用いて開閉自在に取付けた扉構造に於いて、扉体の外周端の上面に扉体の閉鎖位置に向う方向に厚みが繰り返し変動して波状面となった硬質の滑り板を止着し、前記上横枠と扉体の上面とが地震又は前記開口部に作用する荷重による変形・変位により接触しても扉体の開閉を前記滑り板の波状面によって容易にすることを特徴とする、扉取付構造
２）  前記滑り板を扉体の上面にボルト又はネジ又は接着剤によって取外し可能に止着した、前記１）記載の扉取付構造
３）  前記滑り板の厚みの変動の巾が１．３ｍｍ以上であり且つ開閉方向の波状面の一波長の長さが５ｍｍ以上とした、前記１）又は２）記載の扉取付構造
４）  前記丁番を取付けていない側の左縦枠の内側に、前記扉体が閉鎖した状態における前記左縦枠と扉体の外周端の左面との間の間隔の寸法を調整できるつけ枠を取付けた構造とし、更に前記左縦枠と前記つけ枠との間に生じた間隙に挿入されて前記左縦枠と前記つけ枠を押し拡げる付勢部材を有し且つその間隙を扉入口側から見えないように閉鎖する閉鎖部材を有する緩衝部品を前記間隙に間装し、前記左縦枠とつけ枠の破損を少なくするとともに防犯性を高めた、前記１）〜３）いずれか記載の扉取付構造
５）  縦枠に取付けた前記丁番として、前記扉体との閉鎖時において扉体を開口部の出入方向にその取付位置を調整可能とすることができる構造のものを使用した、前記１）〜４）いずれか記載の扉取付構造
にある。
【発明の効果】
【００１０】
本発明によれば、地震又は建物躯体の不等沈下・建物躯体からの開口部への強い震動荷重・静荷重によって枠体の上横枠と扉体の外周端の上面とが変形・変位して接触しても、扉体の外周端の上面には滑り板を止着していて、上下面の接触は上横枠とこの滑り板の波状面の突条部の頂部との接触となる。
【００１１】
この接触は、扉体の滑り板の波状面の突条部の頂部での上横枠の下面との接触となり、複数の突条部の頂部での線接触となるので開閉に対する摩擦力は小さく、接触個所に高い上下荷重が作用しても扉体は軽い力で開閉できる。又、上下荷重がかなり強い場合、扉体の滑り板の突条部はその荷重で塑性変形又は弾性変形して圧縮変形を受けて高さが低くなり、これによって加圧荷重が低下してやはり摩擦力が低くなり、開閉が容易となる。
【００１２】
更に、変形・変位が大きい場合は、開閉時の摩擦力も大きくなるので、滑り板を扉体の外周端の上面からネジ・ボルト又は接着層を取り外して滑り板の厚み分だけ空隙を拡げることができ、扉体の外周端の上面と上横枠の下面との間隔が大きくなり、扉体の上横枠との接触をなくしてより軽く開閉できるようにできる。
【００１３】
又、丁番がない側の左縦枠と閉じた扉体の外周端の左面との間の間隔の寸法を調整自在なつけ枠を設け、更に同つけ枠と縦枠との間の間隔の空隙に緩衝部品を間装した発明では、つけ枠を左縦枠の内側に寸法調整可能に取付けることで、この寸法調整で左右方向に変形した枠体に対し扉体をその間隙を適切な寸法に調整でき、開閉を確実にできるようになる。その上で、緩衝部品は付勢部材を有し、つけ枠の左右方向（水平方向）への変位の緩衝材として作用し、つけ枠と左縦枠の破損を少なくするとともに、つけ枠と左縦枠との間隔に生じた空隙を閉鎖部材で隠すことができる。
しかも、閉鎖部材で空隙を閉鎖することで、雨水・空気の進入を防ぎ、更に入口側からこの空隙にバール工具等を差し込んで扉を破壊する行為を抑えることができる。
【００１４】
更に、丁番として扉体を開口部の出入方向に縦枠との取付位置を調整可能とすることができる構造のものを採用すれば、閉時の扉体をその出入方向に調整し、更に枠体と扉体の変形・変位に対し、開閉し易くできる。
【図面の簡単な説明】
【００１５】
【図１】図１は実施例の扉体を閉じた状態を示す縦断面図である。
【図２】図２は実施例の扉体を閉じた状態を示す横断面図である。
【図３】図３は実施例の扉体上面の滑り板の止着状態を示す拡大説明図である。
【図４】図４は実施例の滑り板を示す断面図である。
【図５】図５は実施例のつけ枠と緩衝部品の取付構造を示す説明図である。
【図６】図６は実施例の緩衝部品を示す拡大平面図である。
【図７】図７は実施例の出入口方向に取付位置を調整できる調整丁番を使用した扉体の取付構造を示す説明図である。
【図８】図８は実施例で使用した調整丁番を示す正面図である。
【図９】図９は図８のＸ−Ｘ拡大端面図である。
【図１０】図１０はスライド外枠６ｃの左右調整部６ｂの長孔６ｂ１と固定ネジ６ａ２の関係を示す説明図である。
【図１１】図１１は左縦枠とＬアングル材とスライド外枠との連結状態を示す断面図である。
【発明を実施するための形態】
【００１６】
本発明の滑り板の波状面の山から山の一波長の長さは実施例では９ｍｍ程で、山の頂部の巾は約１ｍｍであるが、一波長としては５ｍｍ以上が実用的であり、これより短くなれば接触の突条の間隔が短くなり、線接触から面接触に近くなり、効果が弱くなる。
又、滑り板の波状面の山と谷の上下厚みの寸法差は１．５ｍｍ前後が実用的であり、そしてベースとして１．５ｍｍの厚みの上に１．５ｍｍ巾に波状に山と谷の厚みの変化を繰り返す。従って、滑り板の底面（扉体の上面）から山の頂部までの厚みは３．０ｍｍ程となる。そして、実施例の如く、上横枠の下面と扉体の上面との間隔は９ｍｍ程とするので、滑り板上端と上横枠の下面との間に６ｍｍ程の間隔を設けるのが実用的である。
【００１７】
又、本発明の緩衝部材としては硬度が高い（実施例の硬度９７°）の塩化ビニル製が実用的であるが、この素材・硬度に限定されるものでなく、他の素材の樹脂又は金属製でも可能である。滑り板を扉体の外周端の上面に脱着自在に取付ける方法は、ネジ・ボルトの他に接着剤で上面に接着させることによっても滑り板を必要時上面から外せるようにもできる。
本発明において、枠体に取付ける扉体は枠体の右縦枠に丁番で取付ける場合と左縦枠に丁番で取付けられる場合があるが、丁番を取付ける枠体が左右逆になってもいずれも本発明に含まれるものである。
【実施例】
【００１８】
以下、図１〜１１に示す本発明の実施例を図面に基づいて説明する。図１〜１１に示す実施例のつけ枠と調整丁番の構造は、新設時からこのような構造としてもよいし、又は変形・変位があった後、既設の枠体と扉体につけ枠と調整丁番を取付けるようにしてもよい。
本実施例は、扉板の上面の滑り板として硬度９７°の塩化ビニルの素材を用いて３８ｍｍ巾で製作されていて、１．５ｍｍのベース厚みの上に山谷の高さが１．５ｍｍとしたものを使用した。従って、滑り板の突条部の山の頂部と滑り板の底面までの厚みは３．０ｍｍであり、山と山又は谷と谷の一波長の長さを９．０ｍｍ程としている。
【００１９】
又、実施例の丁番には扉体を出入口の方向に取付位置を変更できる取付位置可能な特殊な調整丁番を使用している。又、丁番を取付けない側の他の縦枠（左縦枠）の内側につけ枠を取付け、つけ枠と扉体の外周端面との間隔を調整可能としている。
更に、同つけ枠と左縦枠との間に発生する間隔の空隙に緩衝部品を挿入し、その緩衝部品の付勢部材で左縦枠との間及び扉体との間で変形・変位の緩衝を行う。
【００２０】
加えて、緩衝部品の閉鎖部材で入口側に見える左縦枠と閉じた位置の扉体の外周端の左面との間隔（空隙）を閉鎖し、空隙を少なくして雨水の進入・空気（風）の進入及び騒音の洩れを少なくするとともに、不法者がこの間隔にバール工具等を差し込んで扉を破損させることを防ぐことができる構造の例である。
【００２１】
（実施例の符号の説明）
Ｇは本発明の実施例の扉の取付構造を示す。１は実施例Ｇのコンクリート建造物の玄関となる開口部、１１はコンクリート躯体、１２はモルタル、１３はアンカー鉄筋、２は同開口部の開口縁に沿って固設した扉体取付用枠体、２ａは同枠体の丁番を取付けた右縦枠、２ｂは同枠体の丁番の取付けがない他の左縦枠、２ｃは枠体２の上横枠、２ｄは枠体２の下横枠、２ｅはパッキン材７を枠体２に取付けるための凹所である。
【００２２】
３は枠体２に取付けられる鋼製の扉体、３ａは同扉体３の外周端の上面、３ｂは扉体３の外周端の丁番を取付けた右面、３ｃは扉体３の外周端の丁番を取付けていない左面、３ｃ１は扉体３の外周端の左面とつけ枠との間の空隙を隠すため扉体３の正面左端から左方向に張出させた隠し面部である。３ｄは扉体３の外周端の下面、３ｅは扉体３の玄関外側の正面、３ｆは同扉体の室内側の裏面である。４は扉体３を右縦枠２ａに取付ける取付位置調整可能な調整丁番である。調整丁番４の素材は全て金属製である。本調整丁番４の枢軸４ｃの上下にある左の各丁番板４ａには、右縦枠２ａと連結するための５本のネジ孔４ｇを設けている。右側の丁番板４ｂには、水平な長孔状のネジ孔４ｈが４個設けられ、その中間に丁番板４ｂに円状開口４ｅを設け、同開口にネジ孔４ｆ１を設けた円盤４ｆを前記開口４ｅに嵌合している。この上の丁番板４ｂの長孔のネジ孔４ｈの貫通位置及び円盤４ｆのネジ孔４ｆ１の偏心寸法で、左右水平方向（閉じた時の出入方向）に偏心寸法だけ取付位置を変更できるようにしている。一方、丁番板４ａは通常の５個のネジ６ｎ又は皿ボルト用のネジ孔４ｇが５個設けている。本調整丁番４は、長年使用・不等沈下又は地震等で扉枠又は扉が変形している場合、水平左右方向（扉体３が閉じた状態での出入口の前後方向）に少し扉本体３の取付位置を移動して、扉の開閉を可能にする丁番である。ネジ孔４ｆ１の偏心寸法が違う同じ外形の円盤４ｆを複数用意して、所要の偏心寸法の円盤４ｆを選択して嵌合して使用する。
【００２３】
５は硬度９７°の塩化ビニル製の滑り板、５ａは滑り板の上面の波状面、５ａ１は同波状面の山の頂部、５ａ２は同波状面の谷、５ａ３は滑り板５を扉体３の上面３ａに脱着自在に取付けるネジであり、山と谷の高さの寸法差は１．５ｍｍで、又山から山までの一波長の長さは９ｍｍであり、又滑り板５の底面と波状面５ａの山の頂部との厚みは３ｍｍである。
【００２４】
６は枠体２の左縦枠２ｂの内側に取付けられるつけ枠、６ａは左縦枠２ｂの内面壁に固着ネジ６ａ１で固着したＬアングル材、６ａ１は同固着ネジ、６ｂはＬアングル材６ａに左右方向に移動可能に固着できる「己」字状に折曲したスライド外枠６ｃの左右調整部、６ｂ１は同左右調整部６ｂに設けた長孔であって、上記固定ネジ６ａ２でＬアングル材６ａに長孔６ｂ１の所定位置で止着できる。６ｃは上記左右調整部６ｂから玄関口の正面方向に折曲したスライド外枠、６ｃ１はスライド外枠６ｃの左側コ字状の折曲部の内側に固設されたコ字状部材、６ｄは同スライド外枠の内側で左右位置可変に取付けられたスライド内枠、６ｆはスライド内枠６ｄと前記コ字状部材６ｃ１とを螺合して連結する調整ネジ、６ｇはスライド外枠６ｃ内面とコ字状部材６ｃ１との間に上記調整ネジ６ｆを貫入させた所定厚みの間隔調整用のスペーサである。
【００２５】
７は扉閉時に扉体３の外周端と枠体２との間に発生する空隙を閉鎖するゴム製の一体成型のパッキン材であり、枠体２又はつけ枠６の外周に設けた凹所２ｅ，６ｈに嵌装されている。７ａはパッキン材の凹所２ｅに嵌着するための突起片７ａ１を突出させたパッキン定着部、７ｂは同定着部から外に延伸した内部に磁石７ｂ１を封入した可動吸着部である。扉体３の閉時ではこの可動吸着部７ｂが鋼製の磁性体の扉体３の外周縁に磁力で吸着して雨水・空気・音の洩れを防ぎ、又は開閉音を小さくしている。
【００２６】
８は本発明の左縦枠２ｂの内側面とつけ枠６のスライド外枠６ｃの外側面との間の３ｍｍ程の間隔（空隙）に挿入される塩化ビニル製の一体成型品の緩衝部品、８ａは緩衝部品の本体部、８ｂは本体部８ａから切り起した２個の付勢部材、８ｃは本体部８ａの一端から１５ｍｍ直角に折曲げさせた閉鎖部材である。
【００２７】
本実施例において、枠体の上横枠２ｃの下面と閉鎖時の扉体３の外周端の上面３ａとの間の間隔は９．０ｍｍあり、滑り板５の波状面５ａの山の頂部５ａ１と上横枠２ｃの下面との間に空隙６ｍｍ設けられている。
地震又は不等沈下、その他の原因で躯体の開口部１に上下又は左右に大きな震動・静荷重が発生して、上横枠２ｃと扉体３とが変形・変位を受けて、上横枠２ｃの下面が扉体３の上面３ａの滑り板５に接触しても、その接触が軽い場合は上横枠２ｃの下面は滑り板５の波状面５ａの３〜４条の突条の頂部５ａ１と線接触の状態であり、摩擦力は低く、扉体３は軽い力で開閉できる。
【００２８】
更に、変形・変位がこれより大きい場合、滑り板５に作用した加圧力で波状面５ａの山の頂部５ａ１が圧縮変形して潰れ、変形は谷の方へ膨れるようになり、頂部５ａ１の高さは低くなり、この場合も滑り板５に作用する外部荷重はこの滑り板５の圧縮変形により波状面５ａの頂部５ａ１の高さが低くなり、低下する。それでもまだ線接触に近く、扉体３の開閉に必要な力はやや大きくなるが開閉可能であり、扉体３を開くことができる。必要な場合は工具を使用して滑り板を扉体上面から剥離又は除去すれば滑り板５の厚み３ｍｍ程空隙が発生し、扉体３の開閉は更に容易にできる。
【００２９】
変形・変位が軽ければ、滑り板５との線接触の状態で扉体３を開ければ、扉体３の開いた位置にして滑り板５を止着しているネジ・ボルトを上方から工具を用いて取り外せれば滑り板５の厚み３ｍｍ分空隙を生じ、変形・変位のある扉体３をその状態で容易に開閉できて、扉として使用可能となりうる。
【００３０】
このように、本発明によれば上横枠と扉体の上面との変形・変位に対し、波状面５ａがある滑り板５によって扉体３の開閉を可能にしている。
【００３１】
次に、実施例の如くつけ枠６，調整丁番４，緩衝部品８がある構造の場合、左右方向の震動荷重・静荷重が働いても、変形する前につけ枠６，緩衝部品８が働いて、外枠・扉体の変形を少なくするように緩衝する。
又、緩衝部品８は左縦枠２ｂとつけ枠６との間の間隙を閉鎖するように間装されるので、この間隙からの雨水・風・騒音の洩れを少なくし、更に入口側（玄関側）からこの間隙にバール等を差し込んで扉を破壊されることを防いでいる。
【００３２】
つけ枠６は、左縦枠２ｂに固着したＬアングル材６ａとスライド外枠６ｃとはその左右調整部６ｂの１０ｍｍ長さ程の長孔６ｂ１を介して螺着した固定ネジ６ａ２で取付けられている。
その為、強い力が作用すれば固定ネジ６ａ２が長孔６ｂ１の左右方向に移動してスライド外枠６ｃは外部荷重（震動力・静荷重）によって開口部１の内外へ移動し、変形・破損をまぬがれるように逃れるようになる。これとは別に、扉体３側からつけ枠６方向へ荷重があっても、まず扉体３の外周端の左面３ｃからスライド内枠６ｄまでには１３ｍｍ程の間隔があるので、１３ｍｍ以内の移動に対し直ちにスライド内枠６ｄに加圧しないが、１３ｍｍ以上扉体３が左方向に変位・移動があっても固定ネジ６ａ２に対し、長孔６ｂ１側のスライド外枠が１０ｍｍ程移動でき、つけ枠６と左縦枠２ｂにまで外力が作用せず、変形・破損を防いでいる。
【００３３】
このように、扉体３が左方向移動・変位があっても、スライド内枠６ｄがスライド外枠６ｃ内で移動・変形して左縦枠２ｂの変形・変位を少なくしている。扉体３の左面３ｃがスライド内枠６ｄに接触しても、更に固着ネジ６ａ１が長孔６ｂ１に沿って移動することで、スライド外枠６ｃが変形・変位される前に逃げて緩和させる構造となっている。
これとは別に、扉体３からの左方向への震動・外荷重に対して緩衝部品８が左縦枠２ｂとつけ枠６のスライド外枠６ｃとの間に介在しているので、左方向の力に対してスライド外枠６ｃ，スライド内枠６ｄの変形・変位は緩衝され、破損までいくことがないようにしている。
【００３４】
つけ枠６における変形・変位後における扉体３の左面３ｃとスライド内枠６ｄとの間の間隔の調整は、スライド内枠６ｄに設けたスペーサ部材６ｅの厚みの変更又はスペーサ部材６ｅの除去によって行える。
更に、変形・変位後において、つけ枠６のスライド外枠６ｃと左縦枠２ｂとの間隔の調整は、緩衝部品８の除去によっても大きな間隔を得ることができ、変形・変位の対応性を良くしている。
【００３５】
更に、扉の前後方向の変形・変位がある場合は、調整丁番４を使用していれば扉体３の前後の取付位置を前後調整することで、扉体３の前後（出入方向）の取付位置の調整で前後方向の変形・変位による開閉不良を解消できる。
又は、左右長さ・前後長さの寸法が違う別の扉体３に交換して、右縦枠２ａに取付け直しすれば、前後及び左右の長さを開閉し易いものに交換することで、扉体３の開閉を容易にできる。
【００３６】
調整丁番４による取付位置調整は、開口４ｅにネジ孔４ｆ１を有する円盤４ｆを嵌合しているので、左右水平方向（閉じた時の出入方向）の偏心寸法を適切なものを使用し、又長孔のネジ孔４ｈとネジ６ｎとの螺着位置によって扉体３の調整丁番４の枢軸からの取付位置を変更できるようになっている。
これによって、扉体３の開口部１の出入の前後方向の位置を変更できるようにしている。
【００３７】
本実施例は、上下の変形・変位には扉体の上面の滑り板５で対応でき、又左右・前後の変形・変位に対してはつけ枠６の構造と調整丁番４によって主に対応できるようにしている。
このように、実施例では上下の変形・変位による開閉障害ばかりでなく、左右前後の変形・変位による開閉障害に対しても対応できるようにした例である。
【００３８】
尚、本実施例の構造又は扉体の上面の滑り板の取付けは、扉の新設時からの構造としてもよいし、扉の変形・変位があった後の改修した構造のものとしてもよい。なるべくなら新設時からの構造とすると、地震等の震動・躯体荷重による変形・変位の対応は単なる調整のみで回復できる場合が多いので好ましい。
本実施例の如く、つけ枠６・調整丁番４・緩衝部品８を新設工事時又は回復工事として備えた構造であれば、地震・外部荷重で扉が左右・前後の変形・変位を受けたときの改修方法として、前記のようにつけ枠のスライド位置調整のみで回復できる場合、又は寸法が違う扉体への交換のみで対応できる場合も多い。従来の扉構造でつけ枠６を備えない扉に対しては、既設枠体にカバー枠を取付け、これに調整丁番を用いることでも左右・前後の変形・変位に対して回復できるようにできる。
【産業上の利用可能性】
【００３９】
本発明は、人の住居空間となる建築物の出入口の扉構造ばかりでなく、倉庫の出入通路・地下空間での通路の扉としても利用出来る。
【符号の説明】
【００４０】
Ｇ    実施例の扉の取付構造
１    開口部
１１    コンクリート躯体
１２    モルタル
１３    アンカー鉄筋
２    枠体
２ａ    右縦枠
２ｂ    左縦枠
２ｃ    上横枠
２ｄ    下横枠
２ｅ    凹所
３    扉体
３ａ    上面
３ｂ    右面
３ｃ    左面
３ｃ１    隠し面部
３ｄ    下面
３ｅ    玄関外側正面
３ｆ    裏面
４    調整丁番
４ａ，４ｂ    丁番板
４ｃ    枢軸
４ｄ    カラー
４ｅ    円状開口
４ｆ    円盤
４ｆ１    ネジ孔
４ｇ    ネジ孔
４ｈ    ネジ孔
５    滑り板
５ａ    波状面
５ａ１    頂部
５ａ２    谷
５ａ３    ネジ
６    つけ枠
６ａ    Ｌアングル材
６ａ１    固着ネジ
６ａ２    固定ネジ
６ｂ    左右調整部
６ｂ１    長孔
６ｃ    スライド外枠
６ｃ１    コ字状部材
６ｄ    スライド内枠
６ｅ    スペーサ部材
６ｆ    調整ネジ
６ｇ    スペーサ
６ｈ    凹所
７    パッキン材
７ａ    パッキン定着部
７ａ１    突起片
７ｂ    可動吸着部
７ｂ１    磁石
８    緩衝部品
８ａ    本体部
８ｂ    付勢部材
８ｃ    閉鎖部材
【図１】
2019065602.tif 000003
【図２】
2019065602.tif 000004
【図３】
2019065602.tif 000005
【図４】
2019065602.tif 000006
【図５】
2019065602.tif 000007
【図６】
2019065602.tif 000008
【図７】
2019065602.tif 000009
【図８】
2019065602.tif 000010
【図９】
2019065602.tif 000011
【図１０】
2019065602.tif 000012
【図１１】
2019065602.tif 000013
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
建築物の通路となる建築躯体の開口部の開口縁に沿って左右の縦枠と上下の横枠とからなる扉体取付用枠体を取付け、同枠体の一つの右縦枠に扉体を丁番を用いて開閉自在に取付けた扉構造に於いて、扉体の外周端の上面に扉体の閉鎖位置に向う方向に厚みが繰り返し変動して波状面となった硬質の滑り板を止着し、前記上横枠と扉体の上面とが地震又は前記開口部に作用する荷重による変形・変位により接触しても扉体の開閉を前記滑り板の波状面によって容易にし、加えて前記丁番を取付けていない側の左縦枠の内側の内周面壁に固着ネジでＬアングル材を固着するとともに、同Ｌアングル材に「己」字形状に折曲したスライド外枠を左右方向に移動可能に配置し、同スライド外枠を前記Ｌアングル材に対して左右の所定位置で固定ネジで止着させる左右調整部を設け、前記スライド外枠の内側にスライド内枠を左右位置可変に取付け、しかも扉体を閉鎖した状態で前記スライド内枠が扉体の外周端の左面と対向する位置となるように配置し、前記Ｌアングル材と，前記スライド外枠と，前記左右調整部と，前記スライド内枠とでつけ枠を形成し、更に前記左縦枠と前記つけ枠との間に生じた間隙に挿入されて前記左縦枠と前記つけ枠を押し拡げる付勢部材を有し且つその間隙を扉入口側から見えないように閉鎖する閉鎖部材を有する緩衝部品を前記間隙に間装し、前記左縦枠とつけ枠の破損を少なくするとともに防犯性を高めた、扉取付構造。
【請求項２】
前記滑り板を扉体の上面にボルト又はネジ又は接着剤によって取外し可能に止着した、請求項１記載の扉取付構造。
【請求項３】
前記滑り板の厚みの変動の巾が１．３ｍｍ以上であり且つ開閉方向の波状面の一波長の長さが５ｍｍ以上とした、請求項１又は２記載の扉取付構造。
【請求項４】
縦枠に取付けた前記丁番として、前記扉体との閉鎖時において扉体を開口部の出入方向にその取付位置を調整可能とすることができる構造のものを使用した、請求項１〜３いずれか記載の扉取付構造。
【手続補正２】
【補正対象書類名】明細書
【補正対象項目名】０００９
【補正方法】変更
【補正の内容】
【０００９】
かかる課題を解決した本発明の構成は、
１）  建築物の通路となる建築躯体の開口部の開口縁に沿って左右の縦枠と上下の横枠とからなる扉体取付用枠体を取付け、同枠体の一つの右縦枠に扉体を丁番を用いて開閉自在に取付けた扉構造に於いて、扉体の外周端の上面に扉体の閉鎖位置に向う方向に厚みが繰り返し変動して波状面となった硬質の滑り板を止着し、前記上横枠と扉体の上面とが地震又は前記開口部に作用する荷重による変形・変位により接触しても扉体の開閉を前記滑り板の波状面によって容易にし、加えて前記丁番を取付けていない側の左縦枠の内側の内周面壁に固着ネジでＬアングル材を固着するとともに、同Ｌアングル材に「己」字形状に折曲したスライド外枠を左右方向に移動可能に配置し、同スライド外枠を前記Ｌアングル材に対して左右の所定位置で固定ネジで止着させる左右調整部を設け、前記スライド外枠の内側にスライド内枠を左右位置可変に取付け、しかも扉体を閉鎖した状態で前記スライド内枠が扉体の外周端の左面と対向する位置となるように配置し、前記Ｌアングル材と，前記スライド外枠と，前記左右調整部と，前記スライド内枠とでつけ枠を形成し、更に前記左縦枠と前記つけ枠との間に生じた間隙に挿入されて前記左縦枠と前記つけ枠を押し拡げる付勢部材を有し且つその間隙を扉入口側から見えないように閉鎖する閉鎖部材を有する緩衝部品を前記間隙に間装し、前記左縦枠とつけ枠の破損を少なくするとともに防犯性を高めた、扉取付構造
２）  前記滑り板を扉体の上面にボルト又はネジ又は接着剤によって取外し可能に止着した、前記１）記載の扉取付構造
３）  前記滑り板の厚みの変動の巾が１．３ｍｍ以上であり且つ開閉方向の波状面の一波長の長さが５ｍｍ以上とした、前記１）又は２）記載の扉取付構造
４）  縦枠に取付けた前記丁番として、前記扉体との閉鎖時において扉体を開口部の出入方向にその取付位置を調整可能とすることができる構造のものを使用した、前記１）〜３）いずれか記載の扉取付構造
にある。
【手続補正３】
【補正対象書類名】明細書
【補正対象項目名】００２４
【補正方法】変更
【補正の内容】
【００２４】
６は枠体２の左縦枠２ｂの内側に取付けられるつけ枠、６ａは左縦枠２ｂの内面壁に固着ネジ６ａ１で固着したＬアングル材、６ａ１は同固着ネジ、６ｂはＬアングル材６ａに左右方向に移動可能に固着できる「己」字状に折曲したスライド外枠６ｃの左右調整部、６ｂ１は同左右調整部６ｂに設けた長孔であって、上記固定ネジ６ａ２でＬアングル材６ａに長孔６ｂ１の所定位置で止着できる。６ｃは上記左右調整部６ｂから玄関口の正面方向に折曲したスライド外枠、６ｃ１はスライド外枠６ｃの左側コ字状の折曲部の内側に固設されたコ字状部材、６ｄは同スライド外枠の内側で左右位置可変に取付けられたスライド内枠、６ｆはスライド内枠６ｄと前記コ字状部材６ｃ１とを螺合して連結する調整ネジ、６ｇはスライド外枠６ｃ内面とコ字状部材６ｃ１との間に上記調整ネジ６ｆを貫入させた所定厚みの間隔調整用のスペーサ部材である。
【手続補正４】
【補正対象書類名】明細書
【補正対象項目名】００３３
【補正方法】変更
【補正の内容】
【００３３】
このように、扉体３が左方向移動・変位があっても、スライド内枠６ｄがスライド外枠６ｃ内で移動・変形して左縦枠２ｂの変形・変位を少なくしている。扉体３の左面３ｃがスライド内枠６ｄに接触しても、更に固定ネジ６ａ２が長孔６ｂ１に沿って移動することで、スライド外枠６ｃが変形・変位される前に逃げて緩和させる構造となっている。
これとは別に、扉体３からの左方向への震動・外荷重に対して緩衝部品８が左縦枠２ｂとつけ枠６のスライド外枠６ｃとの間に介在しているので、左方向の力に対してスライド外枠６ｃ，スライド内枠６ｄの変形・変位は緩衝され、破損までいくことがないようにしている。
【手続補正５】
【補正対象書類名】明細書
【補正対象項目名】００３４
【補正方法】変更
【補正の内容】
【００３４】
つけ枠６における変形・変位後における扉体３の左面３ｃとスライド内枠６ｄとの間の間隔の調整は、スライド内枠６ｄに設けたスペーサ部材６ｇの厚みの変更又はスペーサ部材６ｇの除去によって行える。
更に、変形・変位後において、つけ枠６のスライド外枠６ｃと左縦枠２ｂとの間隔の調整は、緩衝部品８の除去によっても大きな間隔を得ることができ、変形・変位の対応性を良くしている。
【手続補正６】
【補正対象書類名】明細書
【補正対象項目名】００４０
【補正方法】変更
【補正の内容】
【００４０】
Ｇ    実施例の扉の取付構造
１    開口部
１１    コンクリート躯体
１２    モルタル
１３    アンカー鉄筋
２    枠体
２ａ    右縦枠
２ｂ    左縦枠
２ｃ    上横枠
２ｄ    下横枠
２ｅ    凹所
３    扉体
３ａ    上面
３ｂ    右面
３ｃ    左面
３ｃ１    隠し面部
３ｄ    下面
３ｅ    玄関外側正面
３ｆ    裏面
４    調整丁番
４ａ，４ｂ    丁番板
４ｃ    枢軸
４ｄ    カラー
４ｅ    円状開口
４ｆ    円盤
４ｆ１    ネジ孔
４ｇ    ネジ孔
４ｈ    ネジ孔
５    滑り板
５ａ    波状面
５ａ１    頂部
５ａ２    谷
５ａ３    ネジ
６    つけ枠
６ａ    Ｌアングル材
６ａ１    固着ネジ
６ａ２    固定ネジ
６ｂ    左右調整部
６ｂ１    長孔
６ｃ    スライド外枠
６ｃ１    コ字状部材
６ｄ    スライド内枠
６ｆ    調整ネジ
６ｇ    スペーサ部材
６ｈ    凹所
７    パッキン材
７ａ    パッキン定着部
７ａ１    突起片
７ｂ    可動吸着部
７ｂ１    磁石
８    緩衝部品
８ａ    本体部
８ｂ    付勢部材
８ｃ    閉鎖部材